(57)【要約】【課題】  多重記憶するホログラム数を多くしても記憶密度を上げることが可能な、装置構成が簡単なホログラムメモリ装置を提供する。【解決手段】  第１のフォトリフラクティブ媒質１に、空間光変調器１７によって信号光の空間位相情報を変化させながら信号光５を入力すると共に、信号光５と交わる方向から信号光の干渉用の参照光６を入力し、参照光６と信号光５との干渉により第１のフォトリフラクティブ媒質１にホログラムを多重記録する。その後、信号光５を非入力状態として第１のフォトリフラクティブ媒質１に参照光６を入力してホログラムの多重回折光７を形成し、多重回折光７を第２のフォトリフラクティブ媒質２に入力して多重回折光７の位相共役光８を発生し、該位相共役光８を第１のフォトリフラクティブ媒質１に入力することによりホログラムを一括して再記録する。【選択図】        図１
2006343586.tif 000002
【特許請求の範囲】
【請求項１】
ホログラフィック媒質と、該ホログラフィック媒質に信号光を入力する信号光入力部と、前記信号光の空間位相情報を変化させる空間位相制御部と、前記ホログラフィック媒質に前記信号光と交わる方向から信号光干渉用の参照光を入力する参照光入力部と、前記ホログラフィック媒質に位相共役光を入力する１つ以上の位相共役器と、前記空間位相制御部による制御によって空間位相情報を変化させながら前記ホログラフィック媒質に信号光を入力して該信号光と前記参照光との干渉により前記第ホログラフィック媒質にホログラムを多重記録するホログラム多重記録制御部と、前記ホログラムの多重記録後に前記信号光を非入力状態として前記ホログラフィック媒質に前記参照光を入力して前記ホログラムの多重回折光を形成し、該多重回折光を前記位相共役器に入力して前記多重回折光の位相共役光を発生し、該位相共役光を前記ホログラフィック媒質に入力することにより該ホログラフィック媒質に前記ホログラムを一括して再記録するホログラム再記録制御部とを有することを特徴とするホログラムメモリ装置。
【請求項２】
位相共役器はホログラフィック媒質と間隔を介して信号光の入力側と反対側に配設される相互励起型位相共役器としたことを特徴とする請求項１記載のホログラムメモリ装置。
【請求項３】
空間位相制御部は、信号光の入力光路に交わる態様で設けられて前記信号光にランダムな空間位相分布を付加する拡散板と、該拡散板を前記信号光の進行方向に対して交わる方向に変位させる拡散板変位手段とを有することを特徴とする請求項１または請求項２記載のホログラムメモリ装置。
【請求項４】
ホログラフィック媒質はフォトリフラクティブ媒質により形成されていることを特徴とする請求項１または請求項２または請求項３記載のホログラムメモリ装置。
【請求項５】
相互励起型位相共役器はフォトリフラクティブ媒質を有して構成され、前記相互励起型位相共役器にホログラフィック媒質から再生される多重回折光と読出し光とを入力して前記多重回折光の位相共役光を発生することを特徴とする請求項２乃至請求項４のいずれか一つに記載のホログラムメモリ装置。
【請求項６】
信号光の空間位相情報を変化させながらホログラフィック媒質に信号光を入力すると共に前記ホログラフィック媒質に前記信号光と交わる方向から信号光干渉用の参照光を入力し、該参照光と前記信号光との干渉により前記ホログラフィック媒質にホログラムを多重記録した後、前記信号光を非入力状態として前記ホログラフィック媒質に前記参照光を入力して前記ホログラムの多重回折光を形成し、該多重回折光を位相共役器に入力して前記多重回折光の位相共役光を発生し、該位相共役光を前記ホログラフィック媒質に入力することにより該ホログラフィック媒質に前記ホログラムを一括して再記録することを特徴とするホログラムリフレッシュ方法。
【請求項７】
ホログラフィック媒質に入力した位相共役光のうち前記ホログラフィック媒質を透過する透過光の位相空間情報を選択的に変化させ、対応するホログラムを再生することを特徴とする請求項６記載のホログラムリフレッシュ方法。
【発明の詳細な説明】
【技術分野】
【０００１】
本発明は、フォトリフラクティブ媒質などの書き換え可能な媒質を用いたホログラフィックメモリにおける多重記録・再生、および多重記録されたホログラムのリフレッシュ（再記録）を行うホログラムメモリ装置およびこの装置に適用されるホログラムリフレッシュ方法に関するものである。
【背景技術】
【０００２】
ホログラフィックメモリは、ＤＶＤ、青紫光ディスク等の記録メディアに続く次世代の高速・大容量ストレージとして期待され、現在多くの研究開発がなされている。ホログラフィックメモリは、二次元の画像情報（現状の空間光変調器と光検出器では１０００×１０００ｂｉｔ程度）を持つホログラムを一つの空間に多数記録でき、それぞれの二次元データは一度の光照射で並列に記録・再生されるため、ＴＢｙｔｅオーダの記録容量、Ｇｂｐｓオーダの高速データ転送を達成できる。
【０００３】
特に、データの消去や書き換えが可能なホログラフィック媒質として、フォトリフラクティブ効果を用いたものが最も有力である。フォトリフラクティブ媒質中に記録されたホログラムは揮発性であり、光を照射することによって消去できるため、何度でも書き換え可能であるという特長を持つ。
【０００４】
しかし、それは、読出し光を照射することによっても徐々にホログラムの再生劣化が起こることを意味し、記録寿命が短いという問題がある。これを克服する手段として、これまで熱定着、電界定着、あるいは二色記録等のように、記録したホログラムを定着し、光に対して一時的に不感にする処理を用いる方法が提案されている（例えば、非特許文献１、２、３、参照。）。
【０００５】
なお、これらの手法を用いたメモリは、書き換え可能であるが、仮に一つの空間に多重記録されたそれぞれのホログラムに対して任意に書き換え操作をしようとすると、他のホログラムにも劣化が起こる。したがって、上記の手法ではランダムに書き換え操作を行うことは困難であるため、書き換えの際には、一度多重記録されたデータを一括消去することになる。
【０００６】
そこで、上記のような定着技術を用いず、再生時に、信号光と等価な情報を持つ位相共役光を用いてホログラムをリフレッシュ（再記録）することによって、フォトリフラクティブ結晶に記録されたホログラムを非破壊再生する手法、および劣化したホログラムを全光学的に修復するための手法が提案されている。なお、信号光の例として、空間光変調器によってディジタルの二次元輝度情報が変調された物体光等が挙げられる。
【０００７】
この位相共役光を用いた手法をホログラムメモリ装置に適用すると、任意のホログラムに対して書き換えをした場合にも、再生劣化を防ぐことができる。（例えば、非特許文献４、５、参照。）。
【０００８】
なお、ホログラムの再記録動作、選択消去技術等に関し、様々な提案が成されている（例えば、非特許文献６〜１０、参照。）。
【０００９】
【非特許文献１】X. An, D. Psaltis “Thermal fixing of10,000 holograms in LiNbO3: Fe”: Appl. Opt., Vol.38,No.2, pp.386-392 (1999)．
【非特許文献２】J. Ma, T. Chang, J. Hong and R. Neurgaonkar“Electrical fixing of 1000 angle-multiplexed holograms in SBN: 75”: Opt. Lett., Vol.22, No.14, pp.1116-1118 (1997)．
【非特許文献３】A. Adibi, K. Buse,D. Psaltis “Two-center holographic recording”: JOSAB, Vol.18, Issue 5, pp.584-601 (2001)．
【非特許文献４】T. Dellwig, C. Denz,T. Rauch and T. Tschudi “Coherent refreshment andupdating for dynamic photorefractive optical memories using phase conjugation”:Opt. Comm., Vol.119, pp.333-340 (1995)．
【非特許文献５】Y. Qiao, D. Psaltis,C. Gu, J. Hong, P. Yeh andR. R.Neurgaonkar, “Phase-locked sustainmentof photorefractive holograms using phase conjugation,” J. Appl.Phys., Vol.70, Issue 8, pp.4646-4648, (1991)．
【非特許文献６】P.Yeh, “Introductionto Photorefractive Nonlinear Optics”, (John Wiley & Sons, Inc. 1993)．
【非特許文献７】S. Campbell, P.Yeh, C. Gu,S. H. Lin, C. Cheng and K.Y. Hsu :“Optical restoration of photorefractiveholograms through self-enhanced diffration”: Opt. Lett., Vol.20, pp.330-332 (1995)．
【非特許文献８】舟越久敏，岡本  淳，佐藤邦宏：”フォトリフラクティブメモリにおける光フィードバック回路を用いた全光学的非破壊再生手法”, 信学論 C, J86-C, 3, pp.236-243 (2003)．
【非特許文献９】T. Ito, A. Okamoto, H. Funakoshi “Noise Reduced Refreshment forDynamic Holographic Memory with Phase Conjugation in a BaTiO3 Crystal” Proc.9th Optoelectronics and Communications Conference / 3rd InternationalConference on Optical Internet (OECC/COIN2004), no.E2-2, pp.872-873, Yokohama,Japan, Jul. 2004．
【非特許文献１０】H. Sasaki, J. Ma, Y. Fainman, and S. Lee “Fastupdate of dynamic holographic memory”: Opt. Lett.Vol.17, No.20, pp.1468-1470 (1992)．
【発明の開示】
【発明が解決しようとする課題】
【００１０】
しかしながら、上記位相共役光を用いた従来のホログラムの多重記録方法は、ホログラムメモリ装置に多重記録するホログラムの数を増やして記録密度を上げるにしたがって、以下の第１から第３の理由により、リフレッシュの効果が著しく低下するため、再生劣化を完全に防ぐことが困難であるという問題があり、そのため、非破壊再生可能なホログラム多重数は事実上制限されてきた。
【００１１】
つまり、第１に、位相共役光を用いた従来のホログラムの多重記録方法は、多重されたホログラムのアドレス指定に参照光の角度や位相など位相情報の変化を用いているため、位相共役光によるリフレッシュ効果は位相整合条件を満たす一つのホログラムのみに働き、それ以外の位相不整合となるホログラムに対しては消去効果のみが働くため、リフレッシュの効率が悪くなる。
【００１２】
第２に、位相共役光を用いた従来のホログラムの多重記録方法は、全ての記録情報を維持するためには、全てのホログラムに対して周期的にリフレッシュを行う必要があり、そのため、多重数の増加に比例してリフレッシュの時間間隔が長くなる。また、全てのホログラムに対して周期的にリフレッシュを行うためには、メモリ装置以外にリフレッシュ動作を制御するための回路が必要となり、装置構成を簡単にすることができない。
【００１３】
第３に、位相共役光を用いた従来のホログラムの多重記録方法は、Ｍページ（Ｍは１以上の整数）のホログラムを一箇所に多重記録する場合、１ページあたりの屈折率変化量は一つのホログラムだけを記録させた場合の屈折率変化の１／Ｍとなる。その結果、回折効率はおよそ１／Ｍ２に減少する。したがってホログラム多重数Ｍの増加に伴い、リフレッシュするために必要な回折光強度、および位相共役光強度を得ることができなくなる。
【００１４】
また、仮に信号光（例えば物体光）側の角度を変化させて多重記録しようとすると、読み出し光を照射した時に全てのホログラムからの回折光が同時に出力されるため、これらを空間的に分離しなければならない。したがって、この手法を用いてホログラム多重記録を行った場合、出力光を検出するための位置合わせが困難である上、完全に分離するには空間フィルタリングを用いる必要がある等の幾何的な制約が生じ、一つのスポットに記録できる情報量が制限されるため、実用的ではない。
【００１５】
本発明は、上記課題を解決するために成されたものであり、その目的は、多重記憶するホログラム数を多くして記録密度を上げることが可能であり、必要に応じて所望のホログラムを選択的に再生できる、装置構成が簡単なホログラムメモリ装置およびその装置に適用されるホログラムリフレッシュ方法を提供することにある。
【課題を解決するための手段】
【００１６】
上記目的を達成するために、本発明は次のような構成をもって課題を解決するための手段としている。すなわち、第１の発明のホログラムメモリ装置は、ホログラフィック媒質と、該ホログラフィック媒質に信号光を入力する信号光入力部と、前記信号光の空間位相情報を変化させる空間位相制御部と、前記ホログラフィック媒質に前記信号光と交わる方向から信号光干渉用の参照光を入力する参照光入力部と、前記ホログラフィック媒質に位相共役光を入力する１つ以上の位相共役器と、前記空間位相制御部による制御によって空間位相情報を変化させながら前記ホログラフィック媒質に信号光を入力して該信号光と前記参照光との干渉により前記第ホログラフィック媒質にホログラムを多重記録するホログラム多重記録制御部と、前記ホログラムの多重記録後に前記信号光を非入力状態として前記ホログラフィック媒質に前記参照光を入力して前記ホログラムの多重回折光を形成し、該多重回折光を前記位相共役器に入力して前記多重回折光の位相共役光を発生し、該位相共役光を前記ホログラフィック媒質に入力することにより該ホログラフィック媒質に前記ホログラムを一括して再記録するホログラム再記録制御部とを有する構成をもって課題を解決する手段としている。
【００１７】
また、第２の発明のホログラムメモリ装置は、上記第１の発明の構成に加え、前記位相共役器はホログラフィック媒質と間隔を介し信号光の入力側と反対側に配設される相互励起型位相共役器とした構成をもって課題を解決する手段としている。
【００１８】
さらに、第３の発明のホログラムメモリ装置は、上記第１または第２の発明の構成に加え、前記空間位相制御部は、信号光の入力光路に交わる態様で設けられて前記信号光にランダムな空間位相分布を付加する拡散板と、該拡散板を前記信号光の進行方向に対して交わる方向に変位させる拡散板変位手段とを有する構成をもって課題を解決する手段としている。
【００１９】
さらに、第４の発明のホログラムメモリ装置は、上記第１または第２または第３の発明の構成に加え、前記ホログラフィック媒質はフォトリフラクティブ媒質により形成されている構成をもって課題を解決する手段としている。
【００２０】
さらに、第５の発明のホログラムメモリ装置は、上記第２乃至第４のいずれか一つの発明の構成に加え、前記相互励起型位相共役器はフォトリフラクティブ媒質を有して構成され、前記相互励起型位相共役器にホログラフィック媒質から再生される多重回折光と読出し光とを入力して前記多重回折光の位相共役光を発生する構成をもって課題を解決する手段としている。
【００２１】
さらに、第６の発明のホログラムリフレッシュ方法は、信号光の空間位相情報を変化させながらホログラフィック媒質に信号光を入力すると共に前記ホログラフィック媒質に前記信号光と交わる方向から信号光干渉用の参照光を入力し、該参照光と前記信号光との干渉により前記ホログラフィック媒質にホログラムを多重記録した後、前記信号光を非入力状態として前記ホログラフィック媒質に前記参照光を入力して前記ホログラムの多重回折光を形成し、該多重回折光を位相共役器に入力して前記多重回折光の位相共役光を発生し、該位相共役光を前記ホログラフィック媒質に入力することにより該ホログラフィック媒質に前記ホログラムを一括して再記録する構成をもって課題を解決する手段としている。
【００２２】
さらに、第７の発明のホログラムリフレッシュ方法は、上記第６の発明の構成に加え、前記ホログラフィック媒質に入力した位相共役光のうち前記ホログラフィック媒質を透過する透過光の位相空間情報を選択的に変化させ、対応するホログラムを再生する構成をもって課題を解決する手段としている。
【発明の効果】
【００２３】
本発明によれば、信号光の空間位相情報を変化させながらホログラフィック媒質に信号光を入力すると共に、前記ホログラフィック媒質に前記信号光と交わる方向から信号光干渉用の参照光を入力することにより、該参照光と前記信号光との干渉により前記ホログラフィック媒質にホログラムを多重記録することができる。つまり、信号光の空間位相情報を変化させると、記録対象のホログラム同士の相関を低くすることができ、ホログラフィック媒質にホログラムを多重記録できる。
【００２４】
そして、本発明によれば、ホログラムの多重記録後に、前記信号光を非入力状態として前記ホログラフィック媒質に前記参照光を入力して前記ホログラムの多重回折光を形成し、該多重回折光を位相共役器に入力して前記多重回折光の位相共役光を発生し、該位相共役光を前記ホログラフィック媒質に入力することにより、前記位相共役光とその自己回折光との干渉、および前記参照光とその自己回折光との干渉により、ホログラフィック媒質に前記ホログラムを一括して再記録することができる。
【００２５】
すなわち、本発明では、参照光の位相等を変化させずに、信号光の空間位相情報のみを変化させてホログラムの多重記録を行い、この多重記録後に参照光によりホログラムの多重回折光を発生させており、多重記録されたホログラムに対して一つずつリフレッシュを行うのではなく、前記多重回折光の位相共役光をホログラフィック媒質に入力することにより、位相共役光の波面補正作用を用いてホログラムを読み出しながら、全てのホログラムを容易に一括して効率的に再記録することができる。
【００２６】
従来の参照光側の位相情報を変化させるタイプの多重記録方式を用いたリフレッシュ手法では、一度にリフレッシュ可能なホログラムが一つだけであるので、多重記録されたホログラム全体のリフレッシュを行うためには、多重記録されたホログラムを一枚ずつ順番にリフレッシュする必要がある(スケジューリング)。
【００２７】
そのため、多重記録されたホログラム全体をリフレッシュするためには多くの時間と、複雑な外部装置(電子制御装置など)が必要になる。また、この方式では、あるホログラムをリフレッシュしている間は、他のホログラムがその光線により劣化してしまうため、リフレッシュによるホログラムの回復力とホログラム多重数は相反することになり、性能面でも大きな制限がある。
【００２８】
これに対して、本発明では、記録されたすべてのホログラムに対して一括にリフレッシュが行われるため、上記スケジューリングが必要なくなり、制御用の外部装置が不要になると共に、リフレッシュ性能を向上することできる(高速化と多重数の増加)。
【００２９】
つまり、本発明によれば、多重記録されたホログラムの非破壊再生を容易にすることができ、多重記憶するホログラム数を多くして記録密度を上げることができるし、ホログラムメモリ装置以外にホログラムの周期的なリフレッシュ動作を制御するための外部装置の回路が不要であり、位相共役光のリフレッシュ効果のみを用いているため、光電気変換を伴わない純光学的な制御が可能であり、装置構成を簡単にできる。
【００３０】
また、本発明のホログラムメモリ装置において、位相共役器はホログラフィック媒質と間隔を介して信号光の入力側と反対側に配設される相互励起型位相共役器とした構成によれば、相互励起型位相共役器を用いて、上記優れた効果を奏するホログラムメモリ装置を簡単な装置構成で実現できる。
【００３１】
さらに、本発明のホログラムメモリ装置において、空間位相制御部は、信号光の入力光路に交わる態様で設けられて前記信号光にランダムな空間位相分布を付加する拡散板と、該拡散板を前記信号光の進行方向に対して交わる方向に変位させる拡散板変位手段とを有する構成によれば、簡単な構成で空間位相制御部を形成でき、上記優れた効果を奏するホログラムメモリ装置を簡単な装置構成で実現できる。
【００３２】
また、拡散板を用いる利点として、フォトリフラクティブ効果の回折効率を高くしようとする場合に問題となるファニング現象による背景ノイズや、その他の光学ノイズも拡散(低減)できることが挙げられる。その結果、出力のＳＮ比を向上させることができるので、記録密度・転送速度の性能を向上することができる。
【００３３】
さらに、本発明のホログラムメモリ装置において、ホログラフィック媒質はフォトリフラクティブ媒質により形成されている構成によれば、フォトリフラクティブ媒質のホログラフィック効果を用いて容易に、かつ、的確にホログラムメモリ装置を構成できる。
【００３４】
さらに、本発明のホログラムメモリ装置において、相互励起型位相共役器はフォトリフラクティブ媒質を有して構成され、前記相互励起型位相共役器にホログラフィック媒質から再生される多重回折光と読出し光とを入力して前記多重回折光の位相共役光を発生する構成によれば、相互励起型位相共役器にフォトリフラクティブ媒質を適用し、フォトリフラクティブ媒質のホログラフィック効果を用いることにより、より一層的確にホログラムメモリ装置を構成できる。
【００３５】
さらに、本発明のホログラムリフレッシュ方法において、ホログラフィック媒質に入力した位相共役光のうち前記ホログラフィック媒質を透過する透過光の位相空間情報を選択的に変化させ、対応するホログラムを再生する構成によれば、所望のホログラムを的確に選択的に再生することができる。
【発明を実施するための最良の形態】
【００３６】
以下、本発明の実施の形態を、図面を参照して説明する。
【００３７】
図１には、本発明に係るホログラムメモリ装置の一実施形態例が、ホログラム記録動作と共に示されている。また、図２には、本実施形態例のホログラムメモリ装置が、ホログラムの再記録動作と共に示されている。
【００３８】
これら図１、図２に示すように、本実施形態例のホログラムメモリ装置は、互いに間隔を介して配置された第１と第２のフォトリフラクティブ媒質１，２と、レーザ光源１０、空間光変調器１７、光検出器２０、拡散板１８、拡散板移動手段１９、ビームスプリッタ１１，１２，１３、ミラー１４，１５，１６、レンズ２１〜２５を有している。
【００３９】
第１のフォトリフラクティブ媒質１は、ホログラムの多重記録用のホログラフィック媒質として機能し、第２のフォトリフラクティブ媒質２は、相互励起型の位相共役器として機能する。
【００４０】
本実施形態例において、図１に示すホログラム多重記録動作時には、レーザ光源１０から出力されるレーザ光は、ビームスプリッタ１１により信号光（物体光）と参照光とに分岐される。つまり、レーザ光の一部がビームスプリッタ１１で反射して空間光変調器１７側に入力され、残りがビームスプリッタ１１を通過し、ビームスプリッタ１２で反射してミラー１５に入力される。
【００４１】
なお、実際は、ビームスプリッタ１２を通過する光をミラー１６に入力されないように途中で遮断する、あるいは、ミラー１６の反射光を遮断する等して、レーザ光が第２のフォトリフラクティブ媒質２に入力されないようにすることが行われるが、図１では、説明を分かりやすくするために、ビームスプリッタ１２の通過光を省略している。
【００４２】
空間光変調器１７は、レーザ光源１０から出力される光に二次元の空間輝度データを入力して信号光（物体光）５とするものであり、空間光変調器１７によってデータ入力された信号光５は、ミラー１４により第１のフォトリフラクティブ媒質１側に反射される。本実施形態例では、ミラー１４の反射面が信号光５の入力部３５と成し、信号光５は、レンズ２１、拡散板１８、レンズ２２，２３を順に介して、上記第１のフォトリフラクティブ媒質１に入力される。
【００４３】
拡散板１８は信号光５にランダムな空間位相分布を付加するものであり、拡散板１８は信号光の入力光路に交わる態様で設けられている。本実施形態例では、この拡散板１８と、拡散板１８を信号光５の進行方向に対して交わる方向（図１の矢印Ｅ方向）に変位させる拡散板変位手段１９とを有して、信号光５の空間位相情報を変化させる空間位相制御部４が形成されている。
【００４４】
また、前記ミラー１５の反射面は、第１のフォトリフラクティブ媒質１に、前記信号光５と交わる方向から信号光干渉用の参照光６を入力する参照光入力部３６として機能する。参照光６は、第１のフォトリフラクティブ媒質１の信号光入射面に斜めの方向から入力される。
【００４５】
また、本実施形態例では、図示されていないホログラム多重記録制御部が設けられており、図１に示すように、前記空間位相制御部４による制御（拡散板１８を矢印Ｅ方向に変位させること）によって信号光の空間位相情報を変化させながら、第１のフォトリフラクティブ媒質１に信号光を入力し、該信号光５と前記参照光６との干渉により第１のフォトリフラクティブ媒質１にホログラムを多重記録する。
【００４６】
ここで、ホログラムの記憶動作を、図３の座標系を用いて説明すると、以下のようになる。つまり、前記信号光入力部３５（同図には図示せず）から第１のフォトリフラクティブ媒質１に向かって進む信号光（物体光）５は、幅ｄを持ってレンズ２１に入射し、レンズ２１の焦点距離ｆ１だけ離れた位置にあるランダム拡散板１８の表面（入射面）Ｂに集光して入射される。ｊ番目に記録するホログラムに対応する信号光の面Ａにおける振幅分布をａ０ｊ（ｘ，ｙ）とすると、拡散板１８の表面Ｂでの振幅ａ１ｊ（ｘ，ｙ）はレンズのフーリエ変換作用により、次式（数１）と表される。
【００４７】
【数１】
2006343586.tif 000003
【００４８】
ここでF{  }はフーリエ変換を表す。そして、信号光５に、拡散板１８の位置に応じた空間位相情報が付加される。透過関数をｔｊ（ｘ，ｙ）（単位振幅）とすると、拡散板１８の背面Ｃでの振幅ａ２ｊ（ｘ，ｙ）は、次式（数２）となる。
【００４９】
【数２】
2006343586.tif 000004
【００５０】
ここでは、拡散板１８として、すりガラスのような表面にランダムな凹凸を持つものを仮定する。拡散板１８の厚みの平均をＨ、厚みのｘｙ分布をＨ＋ｈｊ（ｘ，ｙ）とすると、透過関数ｔｊ（ｘ，ｙ）は近軸において、次式（数３）と書くことができる。
【００５１】
【数３】
2006343586.tif 000005
【００５２】
ここで、ｉは虚数単位、ｋ０は真空中での光波の波数、ｎは拡散板の屈折率、ｈｊ（ｘ，ｙ）の平均は０で、その空間分布はランダムであるとする。
【００５３】
前記の如く、第１のフォトリフラクティブ媒質１へのホログラムの記録は、信号光５と参照光６とを、記録媒質中、つまり、ここでは、第１のフォトリフラクティブ媒質１の面Ｄで干渉させて行われる。拡散板１８と面Ｄまでの距離が４ｆ２の光学システムとすると、面Ｃの振幅分布ａ２ｊと面Ｄの振幅分布ａ３ｊとは、ａ３ｊ（ｘ，ｙ）＝ａ２ｊ（−ｘ，−ｙ）と関係づけられる。
【００５４】
多重記録の際には、拡散板１８を、その相関距離（すりガラスであれば数μｍ程度）以上、信号光５と交わる方向（図１〜３の矢印Ｅ方向）に変位させてから順次ホログラムを重ねて記録する。この操作によって、信号光５に付加する空間位相分布が変化し、互いの相関を低くすることができる。
【００５５】
なお、拡散板の相関距離とは、信号光が照射されるスポットにおいて屈折率の空間分布の自己相関関数の値が1/ｅ２となる距離として定義されるものである。言い換えれば、透過関数ｔｊ（ｘ、ｙ）の自己相関関数Ｒｔ（ｘ、ｙ）が、１／ｅ２になる距離であり、Ｒｔは次式（数４）により表される。なお、（数４）において、＊は複素共役を表し、ｘ０，ｙ０は、それぞれ積分変数を表す。ホログラムを再生したときの出力光強度の値も、このＲｔ（ｘ、ｙ）にほぼ比例して変化する。
【００５６】
【数４】
2006343586.tif 000006
【００５７】
また、本実施形態例では、ホログラムを一括にリフレッシュするために、参照光６の位相情報は変化させず、どの入力データに対しても同一の参照光６を入射させるものであり、参照光６の振幅をａｒｅｆとすると、Ｍ枚多重記録されたホログラムの振幅は、次式（数５）で表される。なお、（数５）および以下の数式においても、＊は複素共役を表す。
【００５８】
【数５】
2006343586.tif 000007
【００５９】
次に、ホログラムのリフレッシュ、および選択再生について述べる。本実施形態例では、図示されていないホログラム再記録制御部が設けられており、前記ホログラムの多重記録後に、図２に示すように、前記信号光５を非入力状態として前記第１のフォトリフラクティブ媒質１に前記参照光６（つまり、書き込み時と同一の参照光６）を入力して前記ホログラムの多重回折光を形成する。
【００６０】
つまり、図２に示すように、ホログラムの再記録動作時には、前記ホログラム再記録制御部の制御によって、レーザ光源１０から出力されるレーザ光は、ビームスプリッタ１１を通過し（ビームスプリッタ１１で反射する光は前記空間光変調器１７への入力が行われないような手段がとられ）、その一部がビームスプリッタ１２で反射してミラー１５に入力され、第１のフォトリフラクティブ媒質１へのホログラム書き込み時と同様に、参照光６として第１のフォトリフラクティブ媒質１に斜めの方向から入力され、ホログラムの多重回折光７が形成される。
【００６１】
この多重回折光７は、図３において、第１のフォトリフラクティブ媒質１の面Ｄで参照光６によって読み出された回折光であり、全てのホログラムからの回折光の重ね合わせΣａ３ｊ（ｘ，ｙ）となり、相互励起型位相共役器としての第２のフォトリフラクティブ媒質２に入射する。
【００６２】
一方、レーザ光のうち、ミラー１５側に反射せずにビームスプリッタ１２を通過した光は、ミラー１６で反射して、第２のフォトリフラクティブ媒質２に入射する。ミラー１６から第２のフォトリフラクティブ媒質２に入射するレーザ光は、読み出し光９として機能するものであり、ミラー１６の反射面が、第２のフォトリフラクティブ媒質２にホログラムの読み出し光９を入力する読み出し光入力部３９として機能する。
【００６３】
そして、読み出し光９は、第２のフォトリフラクティブ媒質２で多重回折光７と干渉し、多重回折光７の位相共役光８が発生する。
【００６４】
つまり、上記多重回折光７が第２のフォトリフラクティブ媒質２に入射すると、第２のフォトリフラクティブ媒質２に相互励起型位相共役器となるホログラムを誘起し、読み出し光９は、多重回折光７の位相共役光８、すなわち全ての信号光の位相共役光として、第１のフォトリフラクティブ媒質１側に回折される。そして、上記多重回折光７が光の重ね合わせΣａ３ｊ（ｘ，ｙ）であるのに対して位相共役な光波の重ね合わせΣａ３ｊ＊（ｘ，ｙ）が、位相共役光８として第１のフォトリフラクティブ媒質１に返される。
【００６５】
なお、フォトリフラクティブ媒質を用いた位相共役読み出しには、信号光と平面参照光で記録したホログラムに完全に対向入射する読み出し光の回折によって位相共役光を出力させるもの（縮退四波混合）と、例えば上記非特許文献６に示されているような、フォトリフラクティブ媒質中でのファニング現象を介して位相共役光を発生させるもの（自己励起型、相互励起型位相共役器等）とがあるが、本実施形態例では、第１のフォトリフラクティブ媒質１の信号光入力側と反対側に配置した第２のフォトリフラクティブ媒質２を相互励起型位相共役器として機能させて位相共役光を発生させる。
【００６６】
そして、上記位相共役光８が第１のフォトリフラクティブ媒質１に入力すると、位相共役光８の自己回折と前記参照光６との干渉による再書き込み効果によって、第１のフォトリフラクティブ媒質１に前記ホログラムを一括して再記録することができ、全てのホログラムは同時にリフレッシュされ、ホログラムの劣化を抑えることができる（上記非特許文献７、８参照。）。
【００６７】
ところで、上記の位相共役光８によるリフレッシュ効果を用いて、ホログラム再生劣化を完全に抑えるためには、記録媒質（ここでは第１のフォトリフラクティブ媒質１）と位相共役器（ここでは第２のフォトリフラクティブ媒質２）に高い結合強度が必要となる。そこで、本実施形態例では、第１と第２のフォトリフラクティブ媒質１，２の結合効率を、ホログラム再生劣化を完全に抑えることが可能な結合効率としている。なお、結合強度とは、フォトリフラクティブ媒質の電気光学係数や光線入射角度によって決定される結合係数と、光線の相互作用長との積によって表されるパラメータである。
【００６８】
記録媒質、位相共役器の結合強度が十分に高い場合には、再書き込みによるリフレッシュの効果が、読出し光照射によるホログラム消去効果を上回り、ホログラムの非破壊再生が可能となる。
【００６９】
さらに、非破壊再生の条件を満たしている場合、リフレッシュを続けることで、記録媒質の回折効率、位相共役器の回折効率（または反射率）は、フォトリフラクティブ効果の増幅作用により、徐々に増幅される。
【００７０】
すなわち、本実施形態例の方式においても、記録媒質にＭ枚のホログラムを書き込んだ直後は、通常の多重記録と同様に、回折効率は１／Ｍ２に減少するが、リフレッシュを続けて定常状態に達すると、各ホログラムからの回折効率の和は、１枚のホログラムを記録した場合の回折効率と同程度まで増幅される。したがって、一枚当たりの回折効率は１／Ｍとなり、初期状態のＭ倍まで増幅することが可能である。
【００７１】
以上のように、本実施形態例によれば、定常状態では、各ホログラムからの回折効率の和は、１枚のホログラムを記録した時と同じになるため、ホログラム１枚あたりの回折効率は１／Ｍとなり、同数のホログラムを多重した場合、従来法に比べてＭ倍の回折効率まで増幅することができるので、様々な位相共役光を用いたリフレッシュ手法を、多重数の大きい、大容量のホログラフィックメモリに適用可能になる。
【００７２】
また、本実施形態例において、多重回折光７の位相共役光８は、再度、拡散板１８を通過することにより空間分離できるものであり、以下に、ホログラムの選択再生動作について説明する。
【００７３】
位相共役光８は、第１のフォトリフラクティブ媒質１を透過し、この光（多重位相共役光）２８は振幅Σａ２ｊ＊（ｘ，ｙ）をもって、図３の面Ｃから拡散板１８に入射する。このとき、拡散板１８がｋ番目のホログラムを記録した時と同位置にあるとき、拡散板１８の表面Ｂから出射する透過光ａ１’（ｘ、ｙ）は、次式（数６）に表される。
【００７４】
【数６】
2006343586.tif 000008
【００７５】
つまり、拡散板１８を透過する光は、ｋ番目に対応する信号光（入力物体光）５の位相ａｌｋ（ｘ，ｙ）の位相共役成分ａｌｋ＊（ｘ，ｙ）と他のホログラムからの回折光成分に分離される。位相共役成分ａｌｋ＊（ｘ，ｙ）は出力光２９となる。ここで、式（数６）の右辺第２項の位相はランダムであるため、拡散して白色ノイズとなる。さらに、レンズ２１の面Ａでは、レンズの逆フーリエ変換により、次式（数７）となる。
【００７６】
【数７】
2006343586.tif 000009
【００７７】
ただし、（数７）のｎ（ｘ，ｙ）は、次式（数８）により表される。
【００７８】
【数８】
2006343586.tif 000010
【００７９】
（数８）において、記号★は畳み込み演算である。ここで、信号光５の入力面Ａでの位相共役光成分ａ０ｋ＊（ｘ，ｙ）を光検出器２０で観測することによって、ｋ番目に記録した信号光５のデータ、つまり、ここでは、物体光（信号光５）の二次元データのみを選択的に再生することができる。
【００８０】
すなわち、本実施形態例において読み出されるホログラムは、記録媒質である第１のフォトリフラクティブ媒質１中での光波のブラッグ条件によってではなく、多重回折光７のもつ空間位相分布と、拡散板１８の空間位相分布の相互相関によって決定される。なお、ここで、式（数６）において、観測面Ａでのノイズ成分ｎ（ｘ，ｙ）の一部は信号光５と重なりあい、これが、ノイズの主要因となる。
【００８１】
一般に、すりガラスのようなランダム位相物体によって散乱された光は、互いに干渉し合うことで、遠視野ではコントラストの高い斑点状の強度分布を形成する。このような強度分布はスペックルと呼ばれる。
【００８２】
本実施形態例では、不要な多重回折光から発生するスペックルノイズ３０を出力光２９と重ならないようにすることで、ノイズの大部分を回避することができる。具体的には、高いランダム性を持つ拡散板１８を用いて拡散角を大きくし、レンズ２１と拡散板１８との距離を広げ、レンズ２１の面Ａにおける信号光５の開口径を小さくすることにより、高いＳＮ比が得られる。
【００８３】
（実施例１）
図４に、本発明を実施するための光学系の一例（実施例１）を示す。この実施例１において、上記実施形態例と同一名称部分には同一符号が付してある。第１と第２のフォトリフラクティブ媒質１，２は、チタン酸バリウム結晶により形成し、レーザ光源１０は波長５１４ｎｍのアルゴンイオンレーザを用いている。
【００８４】
この実施例１では、チタン酸バリウムの高い結合係数を得るために、それぞれの光波の偏光は異常光としており、それに伴い、実施例１では、上記実施形態例におけるビームスプリッタ１１，１２の代わりに偏光ビームスプリッタ４１，４２を設け、それぞれの偏光ビームスプリッタ４１，４２の入射側に半波長板５１，５２を、反射光出射側に半波長板５３，５４を設けている。
【００８５】
また、ミラー１６の反射側にミラー２７を設けて、ミラー１６で反射した光をさらにミラー２７で反射して第２のフォトリフラクティブ媒質２に入射するように構成され、また、拡散板１８やレンズ２１がミラー１４の入射側に設けられているが、実施例１の要部構成（光学的基本構成）は上記実施形態例と同様に構成されており、上記実施形態例と同様の動作により同様の効果を奏する。
【００８６】
（実施例２）
図５に、本発明を実施するための光学系の別の例（実施例２）を示す。この実施例２において、上記実施形態例および実施例１と同一名称部分には同一符号が付してある。実施例２では、第３のフォトリフラクティブ媒質３を設けてこの第３のフォトリフラクティブ媒質３も位相共役器として機能させる構成とし、共振器のように配置することで、記録媒質と位相共役器を分離して用いる。
【００８７】
この場合、ホログラムを非破壊再生できるための条件は二つの位相共役器（ここでは第２と第３のフォトリフラクティブ媒質２，３）の結合強度で決まり、記録媒質（第１のフォトリフラクティブ媒質１）側の結合強度は低くても構わない。
【００８８】
なお、図５において、符号、５５〜６０は半波長板、４４，４５は偏光ビームスプリッタ、３１はビームスプリッタ、６１〜６４は、それぞれポンプ光を示す。
【００８９】
実施例２は、２つの位相共役器を設けて共振器のように機能させるが、ホログラムの多重記録や再記録、再生に関する基本動作は上記実施例１と同様であり、実施例２も、同様の効果を奏することができる。
【００９０】
なお、以下に、実施例２の動作について簡単に説明する。実施例２でも、レーザ光源１０から発信されたレーザ光と、半波長板４４〜６０、偏光ビームスプリッタ４１〜４４、ミラー１４〜１６，２７とを用い、信号光５、参照光６、ポンプ光６１〜６４を形成する。
【００９１】
信号光５と参照光６を、第１のフォトリフラクティブ媒質１（ホログラム記録媒質）中で干渉させ、第１のフォトリフラクティブ媒質１にホログラムを多重記録する。ここで、全てのホログラムの記録時において同一の参照光６を用い、拡散板１８を変位させることによって、信号光５の空間位相分布を変化させてから、互いに相関のないホログラムを多重記録する。
【００９２】
その後、信号光５を遮断し、第１のフォトリフラクティブ媒質１には参照光６のみを入射し、多重回折光７（７ａ）を発生させて、該多重回折光７ａを第１の位相共役器として機能する第２のフォトリフラクティブ媒質２に入力し、ポンプ光６１とポンプ光６２とを用いて多重回折光７ａに対する位相共役光８の多重回折光７（７ｂ）を発生させる。そして、第１のフォトリフラクティブ媒質１を透過した多重回折光７ｂの一部をビームスプリッタ３１で反射して前記拡散板１８側に進ませ、残りの多重回折光７ｂをビームスプリッタ３１が透過し、第２の位相共役器として機能する第３のフォトリフラクティブ媒質３に入力する。
【００９３】
そして、ポンプ光６３とポンプ光６４とを用いて、上記と同様に、多重回折光７ｂの位相共役光の多重回折光７（７ｃ）を発生させる。この多重回折光７ｃは、前記多重回折光７ａと等価な光波である。そして、この多重回折光７ｃと参照光６とにより第１のフォトリフラクティブ媒質１の多重ホログラムを一括して再記録（リフレッシュ）する。
【００９４】
また、前記拡散板１８側に進んだ光は、拡散板１８を所望のホログラムが記録されたときの位置に変化させることによって、選択的に二次元データを再生する。
【００９５】
なお、本発明は、上記実施形態例に限定されることはなく、様々な実施の態様を採り得る。例えば上記実施形態例では、信号光（物体光）のフーリエ面Ｂに拡散板１８を配置することで信号光に空間位相分布を付加したが、空間位相分布を与える面はフーリエ平面に限定されない。
【００９６】
また、上記実施形態例および実施例１では、第２のフォトリフラクティブ媒質２から成る位相共役器は、相互励起型位相共役器としたが、位相共役器は、位相共役光が発生できる様々な構成を適用できる。
【００９７】
さらに、本発明を形成する光学系は、上記実施形態例および実施例１、２に限定されるものではなく、適宜設定されるものであり、例えば、位相共役器を３つ以上設けた光学系や、一つのフォトリフラクティブ媒質に複数の相互作用領域を形成する光学系、上記非特許文献４、５、９に記載されている光学系等、様々な光学系が考えられる。
【００９８】
さらに、本発明は、上記非特許文献１０に示されているようなホログラムの選択消去技術と組み合わせることができる。つまり、本発明は、多重ホログラムに対してランダムに書き換え操作を行った場合にも再生劣化を防ぐことができるので、上記選択消去技術と組み合わせることにより、任意のホログラムに対して書き換え可能なホログラフィックランダムアクセスメモリへ応用することができる。
【００９９】
さらに、上記実施形態例ではホログラフィック媒質をフォトリフラクティブ媒質１により形成したが、ホログラフィック媒質は、書き換え可能なホログラフィック媒質であればよく、フォトリフラクティブ媒質に限定されない。
【図面の簡単な説明】
【０１００】
【図１】本発明に係るホログラムメモリ装置の一実施形態例を、ホログラム多重記録動作と共に示す説明図である。
【図２】上記実施形態例のホログラムメモリ装置を、ホログラム読み出し動作と共に示す説明図である。
【図３】上記実施形態例のホログラムメモリ装置におけるホログラム多重記憶動作および再記録動作を説明するための座標系の説明図である。
【図４】本発明に係るホログラムメモリ装置の一実施例を示す光学系の説明図である。
【図５】本発明に係るホログラムメモリ装置の他の実施例を示す光学系の説明図である。
【符号の説明】
【０１０１】
１  第１のフォトリフラクティブ媒質
２  第２のフォトリフラクティブ媒質
２  第３のフォトリフラクティブ媒質
４  空間位相制御部
５  信号光
６  参照光
７  多重回折光
８  位相共役光
９  読み出し光
１０  レーザ光源
１１，１２，１３  ビームスプリッタ
１４，１５，１６，２７  ミラー
１７  空間光変調器
１８  拡散板
１９  拡散板変位手段
２０  光検出器
２８  多重位相共役光
２９  出力光
６１〜６４  ポンプ光
【図１】
2006343586.tif 000011
【図２】
2006343586.tif 000012
【図３】
2006343586.tif 000013
【図４】
2006343586.tif 000014
【図５】
2006343586.tif 000015